(57)【要約】【課題】少ないスイッチ数にて、簡単な操作で所望のパートを直感的に選択可能にする。【解決手段】パート選択テーブルを参照し、今回操作されたパート選択スイッチＳＷと操作前の（現在の）処理対象パートの選択状態とから、新たな処理対象パートとなる演奏パートを決定する。選択テーブルは、各ＳＷ毎に、現在の処理対象パートに対して新たな処理対象パートが対応付けられ、選択可能なパートは、ＳＷ間で重複しないように４つ（ＳＷ数）間隔で割り当てられている。例えば、現在の処理対象パートがパート４である場合にＳＷ１が操作されると、パートグループＧｒ１内でＳＷ１が選択可能なパート１が、新たな処理対象パートとして設定される。【選択図】　　図５
2004145070.tif 000002
【特許請求の範囲】
【請求項１】
音楽装置における処理対象パートを選択するための、パート数より少ない所定数のパート選択スイッチを有する音楽装置のパート選択装置であって、
前記所定数のパート選択スイッチ毎に、前記処理対象パートとして選択可能なパートを、各パート選択スイッチ間で重複しないように、前記所定数間隔で割り当て、
操作されたパート選択スイッチと操作前の処理対象パートの選択状態とに基づいて、新たな処理対象パートが決定されるように構成されたことを特徴とする音楽装置のパート選択装置。
【請求項２】
全パートは、第１パートから前記所定数のパートずつグループ化された複数のパートグループに分けられ、操作されたパート選択スイッチが選択可能なパートのいずれもが、操作前に処理対象パートであったパートと一致しない場合は、該操作前に処理対象パートであったパートが属するパートグループ内で、前記操作されたパート選択スイッチが選択可能なパートが、前記新たな処理対象パートとして決定される一方、操作されたパート選択スイッチが選択可能なパートの一部が、操作前に処理対象パートであったパートと一致する場合は、該操作前に処理対象パートであったパートが属するパートグループ以外のパートグループ内で、前記操作されたパート選択スイッチが選択可能なパートが、前記新たな処理対象パートとして決定されることを特徴とする請求項１記載の音楽装置のパート選択装置。
【請求項３】
処理対象パートとなっているパートを含む少なくとも前記所定数分のパートの選択状態が、前記パート選択スイッチの配列状態に対応する配列状態で表示されるように構成されたことを特徴とする請求項１または２記載の音楽装置のパート選択装置。
【請求項４】
前記パートの総数は、前記所定数の整数倍であることを特徴とする請求項１〜３のいずれか１項に記載の音楽装置のパート選択装置。
【発明の詳細な説明】
【０００１】
【発明の属する技術の分野】
本発明は、音楽装置において編集や再生等の処理を行う対象となる演奏パートを選択する音楽装置のパート選択装置に関する。
【０００２】
【従来の技術】
従来、電子楽器や音源モジュール等の音楽装置においては、複数の演奏パート（乃至トラック）のうち、編集や再生等の処理を行う対象となる処理対象パートを選択するパート選択装置が設けられている。例えば、下記非特許文献１の音楽装置におけるパート選択装置では、処理対象パートを選択するためのパート選択スイッチが、パート数（例えば１６個）と同じ数だけ配設されている。
【０００３】
【非特許文献１】
Ｍｕｓｉｃ　Ｐｒｏｄｕｃｔｉｏｎ　Ｓｙｎｔｈｅｓｉｚｅｒ　「ＭＯＴＩＦ」の取扱説明書（２００１年１０月作成；ヤマハ株式会社）
【０００４】
【発明が解決しようとする課題】
しかしながら、パート選択スイッチをパート数分設けると、パート数に応じてスイッチ数も多くなり、操作パネル面上で広いスペースが必要となるだけでなく、製造コストも上昇する。
【０００５】
一方、少数のスイッチ操作を組み合わせることで、あるいはカーソル移動や数値入力等によって、少数のスイッチにて多数のパート選択を実現することが考えられるが、そのようにすると、注意力や多少の思考を要し、操作が煩雑である。
【０００６】
本発明は上記従来技術の問題を解決するためになされたものであり、その目的は、少ないスイッチ数にて、簡単な操作で所望のパートを直感的に選択することができる音楽装置のパート選択装置を提供することにある。
【０００７】
【課題を解決するための手段】
上記目的を達成するために本発明の請求項１の音楽装置のパート選択装置は、音楽装置における処理対象パートを選択するための、パート数より少ない所定数のパート選択スイッチを有する音楽装置のパート選択装置であって、前記所定数のパート選択スイッチ毎に、前記処理対象パートとして選択可能なパートを、各パート選択スイッチ間で重複しないように、前記所定数間隔で割り当て、操作されたパート選択スイッチと操作前の処理対象パートの選択状態とに基づいて、新たな処理対象パートが決定されるように構成されたことを特徴とする。
【０００８】
この構成によれば、操作されたパート選択スイッチと操作前の処理対象パートの選択状態とに基づいて、処理対象パートが決定される。パート数より少ない所定数のパート選択スイッチ毎に、処理対象パートとして選択可能なパートが、各パート選択スイッチ間で重複しないように、前記所定数間隔で割り当てられているので、限られたスイッチを最大限に利用して、効率よくパート選択ができると共に、操作前の処理対象パートの選択状態をみて、所望のパートを選択するためにどのスイッチを操作すればよいかが感覚的にわかりやすい。よって、少ないスイッチ数にて、簡単な操作で所望のパートを直感的に選択することができる。
【０００９】
【発明の実施の形態】
以下、本発明の実施の形態を図面を参照して説明する。
【００１０】
図１は、本発明の一実施の形態に係るパート選択装置を含んで構成される音楽装置の全体構成を示すブロック図である。本音楽装置は、例えば、電子楽器として構成される。
【００１１】
本装置は、ＲＡＭ１１、ＲＯＭ１２、記憶装置１３、通信インターフェイス（Ｉ／Ｆ）１４、表示回路１５、検出回路１６、音源回路１７及び効果回路１８が通信バス２２を介してＣＰＵ１０にそれぞれ接続されて構成される。さらに、表示回路１５には例えばＬＣＤで構成される表示部１９が接続され、検出回路１６には操作部２０が接続されている。効果回路１６にはサウンドシステム２１が接続されている。
【００１２】
表示回路１５は、表示部１９に設定画面や現在の状態等の各種情報を表示させる。操作部２０は、各種情報を入力するための複数のスイッチを備え、検出回路１６は、操作部２０の各スイッチの押下状態を検出する。ＣＰＵ１０は、本装置全体の制御を司る。ＲＯＭ１２は、ＣＰＵ１０が実行する制御プログラムや各種テーブルデータ等を記憶する。ＲＡＭ１１は、各種入力情報、各種フラグやバッファデータ及び演算結果等を一時的に記憶する。記憶装置１３は、フロッピ（登録商標）ディスク等の記憶媒体をドライブし、この記憶媒体には上記制御プログラムを含む各種アプリケーションプログラムや各種データ等が記憶可能である。
【００１３】
通信Ｉ／Ｆ１４は各種信号を入力、出力する。通信Ｉ／Ｆ１４には、ＭＩＤＩインターフェイスも含まれる。音源回路１７は、記憶装置１３等から入力された自動演奏データ等の楽曲データを楽音信号に変換する。効果回路１８は、音源回路１７から入力される楽音信号に各種効果を付与し、ＤＡＣ（Ｄｉｇｉｔａｌ−ｔｏ−Ａｎａｌｏｇ　Ｃｏｎｖｅｒｔｅｒ）やアンプ、スピーカ等のサウンドシステム２１は、効果回路１８から入力される楽音信号等を音響に変換する。
【００１４】
本音楽装置におけるパート選択装置の機能は、ＣＰＵ１０のほか、記憶装置１３、表示回路１５、表示部１９、検出回路１６及び操作部２０が主に果たす。
【００１５】
図２は、本音楽装置の操作パネルを示す図である。操作パネルには、表示部１９のほか、決定スイッチ２４、モードスイッチ２５、カーソル移動スイッチ２３（２３Ａ、２３Ｂ、２３Ｃ、２３Ｄ）、ダイヤルスイッチ２２及び４つのパート選択スイッチＳＷ（ＳＷ１、ＳＷ２、ＳＷ３、ＳＷ４）等のスイッチ群が配設される。これらのスイッチ群は、操作部２０に含まれる。
【００１６】
モードスイッチ２５は、編集モード等の各種モードの選択に用いられ、カーソル移動スイッチ２３は、表示部１９上でカーソルを上下左右に移動させて項目を選択するのに用いられる。ダイヤルスイッチ２２は、各種パラメータ設定等に用いられ、決定スイッチ２４は、入力事項や選択項目を決定するのに用いられる。
パート選択スイッチＳＷは、後述するように、再生や編集等の処理対象となる演奏パート（以下、「処理対象パート」と称する）を選択するのに用いられる。
【００１７】
図３は、表示部１９の表示例を示す図であり、特に編集モード時における表示例を示している。本実施の形態では、演奏パートは、パート選択スイッチＳＷの数の整数倍である１６パート設けられているものとし、表示部１９は、同時に８個の演奏パートまたはパラメータに対応する表示、及びそれらの選択状態を示す表示を行うことができるものとする。なお、パラメータには、例えば、音色、音量、効果、定位等に関するデータが含まれる。
【００１８】
モードスイッチ２５及びダイヤルスイッチ２２により編集モードでの演奏パート選択が設定されると、同図（ａ）に示すように、現在の処理対象パートを含んだ８個の演奏パートに対応する表示がなされる。この例では、現在、パート４が処理対象パートとなっており、反転表示されることでそれがわかるようになっている。ユーザは、ここで、パート選択スイッチＳＷを用いて、これからパラメータ変更等の編集を行うべき演奏パート、すなわち新たな処理対象パートを選択・決定する。この選択の手法については図４を用いて後述する。なお、初期状態等において、処理対象パートがユーザにより未だ設定されていない場合は、パート１等の特定の演奏パートをデフォルト設定により処理対象パートに設定して反転表示させるのが望ましい。
【００１９】
同図（ａ）に示す状態で、処理対象パートが決定されると、同図（ｂ）に示すように、その処理対象パートについて、どのパラメータを変更するのかを選択・決定させるべく、複数（例えば８個）のパラメータが表示される。ここで、ユーザは、カーソル移動スイッチ２３、ダイヤルスイッチ２２、決定スイッチ２４等を用いて所望のパラメータを選択・決定し、そのパラメータの値変更等の作業に移行する。
【００２０】
また、モードスイッチ２５及びダイヤルスイッチ２２により編集モードでのパラメータ選択が設定された場合は、同図（ｃ）に示すように、まず、どのパラメータを変更するのかを選択・決定させるべく、複数のパラメータが表示され、ここで、選択されたパラメータに関し、次に、同図（ａ）に示すのと類似した態様で、処理対象パートを選択・決定するための８個の演奏パートの対応表示がなされ、同様の処理で新たな処理対象パートが決定される。
【００２１】
図４は、各種設定処理のフローチャートを示す図である。まず、例えば、図３（ａ）に例示されるような、新たな処理対象パートの選択待ちの状態において、いずれかのパート選択スイッチＳＷが操作されたか否かを判別し（ステップＳ４０１）、操作されない場合はステップＳ４０４に進む一方、操作された場合は、今回操作されたパート選択スイッチＳＷと現在の処理対象パートの選択状態とから、新たな処理対象パートとなる演奏パートを決定する（ステップＳ４０２）。
この新たな処理対象パートの決定には、次に示すパート選択テーブルが用いられる。
【００２２】
図５は、パート選択テーブルのデータ構成の一例を示す概念図である。パート選択テーブルは、例えば、ＲＯＭ１２に格納されている。
【００２３】
図２、図５に示すように、各パート選択スイッチＳＷには、処理対象パートとして選択可能な演奏パートがそれぞれ割り当てられている。すなわち、パート選択スイッチＳＷ１には「パート１、５、９、１３」、パート選択スイッチＳＷ２には「パート２、６、１０、１４」、パート選択スイッチＳＷ３には「パート３、７、１１、１５」、パート選択スイッチＳＷ４には「パート４、８、１２、１６」というように、パート選択スイッチＳＷの数である「４」（所定数）の間隔で順に、各パート選択スイッチ間で処理対象パートが重複しないように割り当て設定されている。そして、図５に示すように、各パート選択スイッチＳＷ毎に、現在の処理対象パートに対して新たな処理対象パートが対応付けられている。
【００２４】
また、処理対象パートの選択処理の概念上において、全１６パートは、パート１から順に４パートずつグループ化され、パートグループＧｒ１〜Ｇｒ４というように、４つのパートグループＧｒに分けられている。各パートグループＧｒは、処理対象パートの選択処理上において、「・・・Ｇｒ１、Ｇｒ２、Ｇｒ３、Ｇｒ４、Ｇｒ１・・・」というように順番付けられている。
【００２５】
そして、今回操作されたパート選択スイッチＳＷ（例えばＳＷ１）が選択可能なパート（ここではパート１、５、９、１３）のいずれもが、現在（操作前）の処理対象パート（例えばパート４）と一致しない場合は、操作前の処理対象パートが属するパートグループ（ここではＧｒ１）内で、操作されたパート選択スイッチが選択可能なパート（ここではパート１）が、新たな処理対象パートとして決定される。
【００２６】
一方、操作されたパート選択スイッチ（例えばＳＷ１）が選択可能なパート（ここではパート１、５、９、１３）の１つが、操作前の処理対象パート（例えばパート１）と一致する場合は、操作前の処理対象パートが属するパートグループ（ここではＧｒ１）の次のパートグループ（ここではＧｒ２）内で、操作されたパート選択スイッチが選択可能なパート（ここではパート５）が、新たな処理対象パートとして決定される。
【００２７】
図４に戻り、続くステップＳ４０３では、処理対象パート切換処理を行う。すなわち、上記決定された演奏パートを新たな処理対象パートとして設定・記憶すると共に、新たな処理対象パートが選択された状態となったことを示すべく、次に説明するように、表示部１９において、演奏パートの表示切り換え及び反転表示の切り換えを行う。
【００２８】
図６〜図８は、表示部１９において表示される処理対象パートの選択・決定及び切り換えの態様の例を示す図である。これらの図では、一例として、パラメータＡの設定変更処理時における演奏パートに対応する表示及び各演奏パートの選択状態が示されている。
【００２９】
例えば、図６（ａ）に示すように、パラメータＡの設定変更に関し、現在の処理対象パートがパート４であるとすると、そのパート４を含むパート１〜８の８個の演奏パートが表示される。この状態で、パート選択スイッチＳＷ１が操作されると、同図（ｂ）に示すように、パートグループＧｒ１内でパート選択スイッチＳＷ１が選択可能なパート１が、新たな処理対象パートとして設定され、反転表示される。この場合の画面表示としては、新たな処理対象パートとなったパート１を含むパート１〜８の８個の演奏パートが依然として表示される。
【００３０】
また、図６（ａ）に示す状態において、パート選択スイッチＳＷ４が操作されると、同図（ｃ）に示すように、パート４が属するパートグループＧｒ１の次のパートグループＧｒ２内でパート選択スイッチＳＷ４が選択可能なパート８が、新たな処理対象パートとして設定され、反転表示される。この場合の画面表示としては、新たな処理対象パートとなったパート８を含むパート１〜８の８個の演奏パートが依然として表示される。
【００３１】
また、同様に、図７（ａ）に示すように、現在の処理対象パートがパート８である場合において、パート選択スイッチＳＷ１が操作されると、同図（ｂ）に示すように、パート５が新たな処理対象パートとして設定され、画面表示される８個の演奏パートは変わらない。しかし、図７（ａ）に示す状態でパート選択スイッチＳＷ４が操作されると、パート８が属するパートグループＧｒ２の次のパートグループＧｒ３内でパート選択スイッチＳＷ４が選択可能なパート１２が、新たな処理対象パートとして設定される。この場合、画面表示は切り替わり、新たな処理対象パートとなったパート１２を含むパート９〜１６の８個の演奏パートが新たに表示され、パート１２が反転表示される。このように、表示部１９における演奏パートの対応表示は、必ず処理対象パートを含んだものとなり、パート１〜８、またはパート９〜１６のいずれかの表示となる。
【００３２】
さらに例示すると、図８（ａ）に示すように、現在の処理対象パートがパート１４である場合において、パート選択スイッチＳＷ１が操作されると、同図（ｂ）に示すように、パート１３が新たな処理対象パートとして設定され、画面表示される８個の演奏パートは変わらない。しかし、図８（ａ）に示す状態でパート選択スイッチＳＷ２が操作されると、パート１４が属するパートグループＧｒ４の次のパートグループＧｒ１内でパート選択スイッチＳＷ２が選択可能なパート２が、新たな処理対象パートとして設定される。この場合、画面表示は切り替わる。
【００３３】
このほか、図示はしないが、例えば、現在の処理対象パートがパート１である場合において、パート６を処理対象パートに選択したいときは、通常、パート選択スイッチＳＷ２を２回操作すればよいが、パート選択スイッチＳＷ１、パート選択スイッチＳＷ２という順で操作することでも選択可能である。また、同様の場合において、パート１６を処理対象パートに選択したいときは、通常、パート選択スイッチＳＷ４を４回操作すればよいが、パート選択スイッチＳＷ１を３回（または２回、または１回）操作した後にパート選択スイッチＳＷ４を１回（または２回、または３回）操作することでも選択可能である。ユーザは、自己の感覚に適した操作態様を任意に選択することができる。
【００３４】
図４に戻り、ステップＳ４０３の処理後はステップＳ４０４に進む。ステップＳ４０４では、画面表示内容と操作されたスイッチとに従った処理を行い、次に、本処理の停止が指示されたか否かを判別し（ステップＳ４０５）、停止が指示されない場合は前記ステップＳ４０１に戻る一方、停止が指示された場合は、本処理を終了する。
【００３５】
本実施の形態によれば、パート数（１６）より少ない４つのパート選択スイッチＳＷ毎に、処理対象パートとして選択可能なパートを、４つ間隔で割り当て、操作されたパート選択スイッチＳＷと操作前の処理対象パートの選択状態とに基づいて、新たな処理対象パートが決定されるようにしたので、限られたスイッチを最大限に利用して、効率よくパート選択ができる。また、全１６パートを４つのパートグループＧｒに分け、操作されたパート選択スイッチが選択可能なパートの１つが、操作前の処理対象パートと一致するか否かによって、現パートグループ内または次のパートグループ内で、操作されたパート選択スイッチが選択可能なパートが、新たな処理対象パートとして決定されるようにしたので、現在の処理対象パートの選択状態をみて、所望のパートを選択するためにどのパート選択スイッチＳＷを操作すればよいかが感覚的にわかる。よって、少ないスイッチ数にて、簡単な操作で所望のパートを直感的に選択することができる。
【００３６】
特に、パートの総数は１６であって、パート選択スイッチＳＷの数の整数倍（４倍）となっているので、全１６パートについて同様の感覚で選択操作ができ、操作も覚えやすい。
【００３７】
また、演奏パートの対応表示は、横方向に一列配置で、パート選択スイッチＳＷの配列と同様になっており、しかも、この表示においても、パート選択スイッチＳＷの数の整数倍である８個の演奏パートが同時表示されるようにしたので、各演奏パートの選択状態とこれから選択しようとする演奏パートとの関係を視覚的に捉えることが容易にでき、より直感的に処理対象パートを選択することができる。なお、本実施の形態においては、視覚的に捉えやすくするという観点からは、同時に表示される演奏パートの対応表示の数は、４個であってもよい。また、演奏パートの対応表示の配列については、パート選択スイッチＳＷの配列との対応関係が視覚的に容易に認識可能な態様であれば、例示した横配列に限られない。
【００３８】
なお、所望のパートを直感的に選択するという観点では多少劣るが、少ないスイッチ数で全パートを容易に選択可能にするという観点からは、パート選択テーブルの内容は種々の変形例が考えられ、また、必ずしもパートグループＧｒの概念を用いる必要はない。例えば、現在の処理対象パート（例えばパート４）が、操作されたパート選択スイッチＳＷ（例えばＳＷ１）で選択可能な演奏パート（ここではパート１、５、９、１３）と一致しない場合は、その選択可能な演奏パートのうち、現在の処理対象パートに最も近い演奏パート（ここではパート５）が新たな処理対象パートに設定されるように処理することも可能である。また、現在の処理対象パート（例えばパート９）が、操作されたパート選択スイッチＳＷ（例えばＳＷ１）で選択可能な演奏パート（ここではパート１、５、９、１３）と一致する場合は、その選択可能な演奏パートのうち、現在の処理対象パートとは異なる演奏パートのいずれか（例えば番号が最も若いパート１）が新たな処理対象パートに設定されるようにすることも可能である。
【００３９】
なお、本実施の形態では、処理対象パートの決定において、パート選択テーブルを用いたが、これに限るものでなく、演算処理により処理対象パートを判断するサブルーチンを図４のステップＳ４０２の処理に代えて実行することで、新たな処理対象パートを決定するように構成してもよい。
【００４０】
なお、演奏パート数（Ｍ）及びパート選択スイッチＳＷ数（Ｎ）は、例示した１６個及び４個に限られるものではない。ＮをＭより小さい値とし、パート選択スイッチＳＷ毎に、選択可能なパートをＮ間隔で割り当てればよい。また、ＭはＮの整数倍であるのが望ましいが、そうでない場合、例えば、Ｍ＝１５である場合は、Ｎ＝４とし、パート選択スイッチＳＷ４には、３つのパート４、８、１２だけを割り当てるようにしてもよい。その場合、パート選択テーブルにおいて、現在パートは１５個とし、現在パート１２〜１５とパート選択スイッチＳＷ４とに対応しているパート番号「１６」に代えて「１５」を設定することで対処することができる。
【００４１】
なお、本発明のパート選択装置は、音源モジュール等、各種音楽装置に適用可能である。
【００４２】
なお、本発明を達成するためのソフトウェアによって表される制御プログラムを記憶した記憶媒体を、本装置に読み出すことによって同様の効果を奏するようにしてもよく、その場合、記憶媒体から読み出されたプログラムコード自体が本発明の新規な機能を実現することになり、そのプログラムコードを記憶した記憶媒体は本発明を構成することになる。また、プログラムコードを電送媒体等を介して供給してもよく、その場合は、プログラムコード自体が本発明を構成することになる。なお、これらの場合の記憶媒体としては、ＲＯＭ、ハードディスクのほか、光ディスク、フロッピディスク等の可搬媒体等を用いることができる。
【００４３】
【発明の効果】
以上説明したように、本発明によれば、少ないスイッチ数にて、簡単な操作で所望のパートを直感的に選択することができる。
【図面の簡単な説明】
【図１】本発明の一実施の形態に係るパート選択装置を含んで構成される音楽装置の全体構成を示すブロック図である。
【図２】本音楽装置の操作パネルを示す図である。
【図３】表示部の表示例を示す図である。
【図４】各種設定処理のフローチャートを示す図である。
【図５】パート選択テーブルのデータ構成の一例を示す概念図である。
【図６】表示部において表示される処理対象パートの選択・決定及び切り換えの態様の例を示す図である。
【図７】表示部において表示される処理対象パートの選択・決定及び切り換えの態様の例を示す図である。
【図８】表示部において表示される処理対象パートの選択・決定及び切り換えの態様の例を示す図である。
【符号の説明】
１０　ＣＰＵ、　１１　ＲＡＭ、　１２　ＲＯＭ、　１３　記憶装置、　１５表示回路、　１６　検出回路、　１９　表示部、　ＳＷ１〜ＳＷ４　パート選択スイッチ、　Ｇｒ１〜Ｇｒ４　パートグループ
【図１】
2004145070.tif 000003
【図２】
2004145070.tif 000004
【図３】
2004145070.tif 000005
【図４】
2004145070.tif 000006
【図５】
2004145070.tif 000007
【図６】
2004145070.tif 000008
【図７】
2004145070.tif 000009
【図８】
2004145070.tif 000010